(57)【要約】【課題】使用が簡単で、携帯に便利で、アイマスク及び口マスクを同時使用する多機能マスクを提供する。【解決手段】多機能マスクは、アイマスク及び口マスクから構成され、アイマスク中央には隆起部及び切槽で挟持もしくは嵌合納置した耳栓を設置する。アイマスク下方の左右辺に沿って、切槽で第一片体及び第二片体を形成し、両片体で口マスク上に差し込んで固定し、小孔区によってアイマスクを使った休息時でも、マスクを外すことなく外を見る。【選択図】図１
0003183826.tif 000002
【実用新案登録請求の範囲】
【請求項１】
アイマスクと口マスクから構成された多機能マスクにおいて、  そのうち、アイマスクは、中央に鼻を入れる隆起部を備え、隆起部の両側は眼の位置であり、そこに複数個から構成される小孔区を設置し、アイマスクの下方の左右に沿って、切槽で第一片体及び第二片体を形成し、
口マスク両側には頭部を掛合するためのヒモを設置し、該第一片体及び第二片体は切槽で両片体を口マスクの上に挟み込むことを特徴とする多機能マスク。
【請求項２】
前記多機能マスクは、アイマスクの第二片体の前に面ファスナーを設置し、第一片体は後面ファスナーを設置することを特徴とする請求項１記載の多機能マスク。
【請求項３】
前記口マスクは、前面のアイマスク後面ファスナーに相対する位置に、接合する前面ファスナーを設置し、口マスクの背面のアイマスク前面ファスナーに相対する位置には接合する後面ファスナーを設置することを特徴とする請求項１記載の多機能マスク。
【請求項４】
前記多機能マスクは、アイマスク左右の大面積位置に、それぞれ上下から切槽を形成する空間を設置し、上下切槽の相対する隙間に耳栓を入れて固定することを特徴とする請求項１記載の多機能マスク。
【請求項５】
前記多機能マスクは、アイマスクの左右の大面積を備える位置に、それぞれ袋体を設置してそこに耳栓を入れて固定することを特徴とする請求項１記載の多機能マスク。
【請求項６】
前記アイマスクは、一部分が一般のメガネであることを特徴とする請求項１記載の多機能マスク。
【請求項７】
前記アイマスクは、左右アイフレームを備え、左右孔区はそれぞれレンズ上に設置し、レンズをアイフレーム上に設置することを特徴とする請求項１記載の多機能マスク。
【考案の詳細な説明】
【技術分野】
【０００１】
本考案は、多機能マスクに関するもので、使用が簡単で、携帯に便利で、アイマスク及び口マスクの同時使用設計を備える。
【背景技術】
【０００２】
現在、市販のアイマスクと口マスクは分離して使用し、共用結合することはできない。仮に目を塞ぐと口鼻は塞がれず、同時に使用する場合、固定は困難で、この種の運用はできない。
【０００３】
更に、一般に休息時、外界光線を隔て、騒音も遮断したい時、アイマスクを使用する他に、耳栓を付けなければならず、耳栓とアイマスクはそれぞれ別物なので、別々に収納しなければならず、耳栓は軽くて小さいので落ちやすく不便である。
【先行技術文献】
【特許文献】
【０００４】
【特許文献１】特開２０１３−３４５１９号公報
【考案の概要】
【考案が解決しようとする課題】
【０００５】
解決しようとする問題点は、アイマスクと口マスクを共用結合できない点である。一般に耳栓とアイマスクは別物であるため、軽量で小さい耳栓は無くしやすい点である。
【課題を解決するための手段】
【０００６】
本考案は、アイマスク及び口マスクから構成される。アイマスク中央には隆起部及び切槽で挟持もしくは嵌合納置した耳栓を設置する。アイマスク下方の左右辺に沿って、切槽で第一片体及び第二片体を形成し、両片体で口マスク上に差し込んで固定し、小孔区によってアイマスクを使った休息時でも、マスクを外すことなく外を見ることを最も主要な特徴とする。
【考案の効果】
【０００７】
本考案の多機能マスクは、使用が簡単で、携帯に便利、更にアイマスク及び口マスクを同時にするという利点がある。
【図面の簡単な説明】
【０００８】
【図１】本考案の分解図である。
【図２】本考案の組立正面図である。
【図３】本考案の組立背面図である。
【図４】本考案のアイマスクと口マスクを組み合わせた実施例である。
【図５】本考案の単用アイマスクの実施例である。
【図６】本考案を用いて仰向けに寝た実施例である。
【図７】本考案の口マスク単用の実施例である。
【図８】本考案のアイマスクと口マスクを合わせた別の使用例である。
【図９】本考案の別のアイマスク実施例である。
【考案を実施するための形態】
【０００９】
本考案は、目を塞ぎ、また焦点を合わせて対象をはっきりと見ることができ、更に耳栓及び鼻口を塞ぐ多機能マスクを提供する。
【００１０】
本考案の多機能マスクは、アイマスク及び口マスクから構成される。そのうちアイマスクの中央には鼻を入れる隆起部を備え、隆起部の両側は眼の位置で、そこに多数個小孔から構成された小孔区を設置し、アイマスク下方の左右辺に沿い、切槽で第一片体及び第二片体を形成する。また、口マスクの両側には頭部に掛合するためのヒモを設置し、該第一片体及び第二片体は切槽で両片体を口マスクの上縁に挟み入れる。
【００１１】
該アイマスクは、休息、睡眠もしくは避免外部の騒音を遮断したり、光線の影響を避けたい時に便利であり、小孔区は眠る時に提供し、短時間であれば小孔から外界物をはっきりと見ることができ、且つ添付の耳栓はアイマスク一体に設置し、随時使用する。
【００１２】
本考案の多機能マスクの口マスクの前面のアイマスク後面ファスナーに相対する位置に貼りあわさる前面ファスナーを設置し、口マスクの背面のアイマスク前面ファスナーに相対する位置に、貼りあわさる後面ファスナーを設置し、アイマスクと口マスクを固定する。
以下に、本考案の多機能マスクの実施例を図面に沿って説明する。
【実施例】
【００１３】
本考案の実施例の多機能マスクは、図１の分解図，図２の組立図及び図３の組立背面図に示すとおり、アイマスク１０及び口マスクから構成される。そのうち、該アイマスク１０の中央は人の鼻が入る隆起部１３もしくは凹折部(図未提示)を備え、隆起部１３の両側は眼の位置となり、多数個の小孔によって構成された小孔区１８を設置し、その機能によって、使用者に小孔から導入された平行光線を提供し、眼球瞳孔に無開放式の更にはっきりした視覚効果を提供し、拡大したようになり、眼球筋の緊張を軽減することで、アイマスク１０を使用している時でも急に外の様子を見たくなった時にアイマスク１０を外すことなく、直接小孔区１８から外観を見れば良い。
【００１４】
アイマスク１０下方左右辺に沿い、切槽１５によって外辺の第一片体１１及び内向きの第二片体１２を形成する。該第一片体１１及び第二片体１２は切槽１５によって両片体１１、１２を口マスク２０の上縁に挟み込む。そのうち第二片体１２には前面ファスナー１６を設置し、第一片体１１は後面ファスナー１９を設置し、その二片体１１、１２によって口マスク２０の前後面に入れて使用しやすくなる。
【００１５】
他に、アイマスク１０に耳栓１７を固定位置に設置する。アイマスク左右には比較的大きな面積を備え、それぞれ上下に切槽１４を設置して空間を形成する。上下切槽１４によって相対する隙間に、耳栓１７を入れて固定するか、もしくは納置空間を設置してそこに耳栓１７を入れることで、携帯した時に無くしにくくなる。
【００１６】
口マスク２０両側に頭部に止めるためのヒモ２５を設置する。図の実施例は、耳に掛けるヒモ２５の実施例であり、他の実施例として、本体上方に鼻を覆う隆起部２３を設置し、及び下方には下あごを納置する下頷部２４を設置する。他に、口マスク２０前面のアイマスク１０後面ファスナー１９に相対する位置には、更に合わせるための前面ファスナー２１(例として図２の組立前面図を参照)を設置し、また口マスク２０背面のアイマスク１０の前面ファスナー１６に相対する位置には合わせるための後面ファスナー２２(例として図３の組立背面図を参照)を設置する。
【００１７】
そのうち，口マスク２０内には、芳香片もしくは殺菌片を設置することで衛生を保つ。
【００１８】
組み立て使用する時、アイマスク１０の第一片体１１と第二片体１２を切槽１５で分離してアイマスク２０前後面を前後で合わせ、各相対する前後面ファスナー２１、１９、２２、１８を相互に合わせるか、もしくは前後をヒモで縛る。図２及び図３に示すとおり、これらに拠って、アイマスク１０及び口マスク２０が合体する目的を達成する。
【００１９】
図４に示すのは、本考案の多機能マスクの使用例である。アイマスク１０の正面は眼部に当たり、口マスク２０の正面は鼻口部が位置する。また耳栓１７は耳を塞ぐ。これらに拠って、休息、睡眠もしくは外部の騒音を避けたい時、光線の影響を避けたい時に便利である。また小孔区１８は休息している時、外を見る必要が有る場合、小孔から見ることができ、アイマスクを取り外す面倒を避けられる。
【００２０】
図５はアイマスク１０だけを使用した実施例である。アイマスク１０は隆起部１３に鼻を入れる。更にメガネ３０を掛けてアイマスク１０を眼前で固定する。口マスク２０でアイマスク１０を固定する必要がなく使用でき、車の運転もしくは座って休息する時に使用する。仮に昼休みに仰向けで寝る時、メガネで固定する必要がないので、図６に示すとおり、アイマスクの隆起部１３で眼鼻を固定する。当然単用口マスク２０でもよく、図７にその単用口マスクの実施例を示す。
【００２１】
他に、アイマスク１０と口マスク２０を同時に使用するが、図８に示すとおり、結合して使用しない。アイマスク１０を口マスク２０へ下げると、眼部より低くなる。この時、目にアイマスクはないので、普通に見ることができる。近距離を見る時、例として小字もしくは細部を見る時、下を見ることができ、小孔区１８からはっきりと見える。また耳栓１７は、この時アイマスク１０上にあれば、小孔区１８を前向きに開くことができ便利である。
【００２２】
本考案は、使用者が片目を塞ぐ必要、例として眼病、化粧もしくはその他特殊要因である場合、図９に示すとおり、該アイマスク１０は眼の位置に、左右アイフレーム１０１、１０２を設置する。左右アイフレーム１０１、１０２上には任意の左右レンズ１０３を設置する。左右レンズ１０３上には小孔区１８を設置し、それによって左右レンズ１０３の使用に基づき、左もしくは右眼位置の左もしくは右のアイフレーム１０１、１０２を塞ぐ。
【００２３】
上述のとおり、本考案の多機能マスクは、構造が簡単で用途が広く、使用しやすく、実用的価値が高いため、実用新案として申請する。
【符号の説明】
【００２４】
１０        アイマスク
１１        第一片体
１２        第二片体
１３        隆起部
１４        切槽
１５        切槽
１６        前面ファスナー
１７        耳栓
１８        小孔区
１９        後面ファスナー
１０１        アイフレーム
１０２        アイフレーム
１０３        レンズ
２０        口マスク
２１        前面ファスナー
２２        後面ファスナー
２３        隆起部
２４        下頷部
２５        ヒモ
３０        メガネ
【図１】
0003183826.tif 000003
【図２】
0003183826.tif 000004
【図３】
0003183826.tif 000005
【図４】
0003183826.tif 000006
【図５】
0003183826.tif 000007
【図６】
0003183826.tif 000008
【図７】
0003183826.tif 000009
【図８】
0003183826.tif 000010
【図９】
0003183826.tif 000011